(57)【要約】【課題】電磁変換器の外側寸法または放音孔が配列されている部材の外周寸法を変化させることなく、放射音の指向角または指向性を変更する。【解決手段】電磁変換器１０は、帯状の多極着磁パターンが形成された永久磁石板１，２と、永久磁石板１，２における多極着磁パターンの形成面と対向配置されるコイルパターン３ａを設けた振動膜３と、永久磁石板１，２と振動膜３の間に配置された緩衝部材４と、永久磁石板１，２、振動膜３及び緩衝部材４を覆って支持するフレーム５，６とを備え、永久磁石板１とフレーム５に設けられ、振動膜３で発生した音を外部空間へ放射する放音孔１ａ，５ａが電磁変換器１０の行方向及び列方向に複数配列され、行方向及び列方向のうち少なくとも何れか一方向の音圧を配列毎に変化させる。【選択図】図１
2008270971.tif 000002
【特許請求の範囲】
【請求項１】
帯状の多極着磁パターンが形成された永久磁石板と、
前記永久磁石板における多極着磁パターンの形成面と対向配置されるコイルパターンを設けた振動膜と、
前記永久磁石板と前記振動膜の間に配置された緩衝部材と、
前記永久磁石板、振動膜及び緩衝部材を覆って支持するフレームと、
前記永久磁石板と前記フレームに、前記振動膜が発生させた音を外部空間へ放射する放音孔とを備えた電磁変換器において、
前記放音孔は、電磁変換器の行方向及び列方向に複数配列され、前記行方向及び前記列方向のうち少なくとも何れか一方向の音圧が配列毎に異なることを特徴とする電磁変換器。
【請求項２】
放音孔は、行方向及び列方向のうち少なくとも何れか一方向の孔径が配列毎に異なり、前記孔径は電磁変換器の一端から他端に向けて大きくなる、または小さくなることを特徴とする請求項１記載の電磁変換器。
【請求項３】
放音孔は、行方向及び列方向のうち少なくとも何れか一方向の音圧位相が配列毎に異なり、前記音圧位相は電磁変換器の一端から他端に向けて進む、または遅れることを特徴とする請求項１記載の電磁変換器。
【請求項４】
放音孔は、行方向及び列方向のうち少なくとも何れか一方向の配列間隔が配列毎に異なり、前記配列間隔は電磁変換器の一端から他端に向けて大きくなる、または小さくなることを特徴とする請求項１記載の電磁変換器。
【発明の詳細な説明】
【技術分野】
【０００１】
この発明は、振動膜の表面にコイルパターンを備えてオーディオ信号から音声再生を行う電磁変換器に関するものである。
【背景技術】
【０００２】
従来の電磁変換器は、永久磁石板と振動膜とを対向配置し、永久磁石板と振動膜との間には緩衝部材を配置している。これら永久磁石板、振動膜、及び緩衝部材はフレーム等に覆われ、例えばスピーカ筐体に取り付けられている。
例えば、特許文献１記載の電磁変換器は、永久磁石板と永久磁石板に対向する位置に設けられた振動膜と、永久磁石板と振動膜の間に介在する緩衝部材と、振動膜の永久磁石板に対する位置を規制する支持部材を具備しており、永久磁石板は平行縞状の多極着磁パターンを有し、そのニュートラルゾーンに多数の放音孔を配列した一体構造である。放音孔である放音孔は、ニュートラルゾーンに沿って一定ピッチで形成されている。永久磁石板のニュートラルゾーンに対応する位置に振動膜の面内でコイルの直線部分を横切るような向きに磁力線が通る。コイルに駆動電流を供給すると、その電流と磁界との相互作用により厚み方向に電磁力が発生して振動膜が振動する。この振動によって発生した音波が放音孔を通って外部に放出され、オーディオ再生が行われる。
【０００３】
【特許文献１】特開平９−３３１５９６号公報
【発明の開示】
【発明が解決しようとする課題】
【０００４】
従来の電磁変換器は以上のように構成されているので、放音孔がニュートラルゾーンに沿って等間隔の一定ピッチで形成されており、振動膜面で均一な音圧分布が得られると仮定した場合、放音孔から放射される音の音圧分布も電磁変換器の面上でほぼ均一となる。そのため、空間内には電磁変換器の中心から左右または上下方向にそれぞれほぼ対称な音場が形成される。つまり、形成される遠方音場の電磁変換器の中央を中心とする半径一定の円周上において、電磁変換器の正面軸上に最大音圧レベルが得られるものとなる。言い換えると、電磁変換器の中心と音圧が最大となる点を結ぶ軸を音軸とし、その音軸を中心とする音圧パターンをメインローブとすると、音軸及びメインローブは電磁変換器の正面方向に存在することとなる。
【０００５】
ここで、従来の電磁変換器の音圧分布と指向特性について詳しく説明する。まず、図１２は従来の電磁変換器の放音孔の配置例を示す電磁変換器の正面図である。
電磁変換器１０は、長手方向であり電流が流れる方向（以下、電流方向と称する）の長さが約１２ｃｍ、短手方向であり電流方向と直行する方向（以下、配列方向と称する）の長さが約６ｃｍの矩形を形成している（ただし、図１２は説明のため電流方向と配列方向の長さが異なっている）。電流方向及び配列方向には等間隔に穿孔された放音孔２０が設けられており、電流方向に１列当たり２０個、配列方向に１列当たり１０個設けられている。また、放音孔２０の直径は全て数ｍｍ程度であり、同じ強さの音が発せられているものとする。
【０００６】
次に、従来の電磁変換器１０の音場シミュレーション結果を示す。このシミュレーション結果は、点音源に近似させるために、各放音孔２０を平坦なバッフル面に配列したモデルを用いてシミュレーションしたものである。
図１３は、従来の電磁変換器の音圧分布を示す図である。図１２に示した電磁変換器１０の電流方向の中心を中心線Ｘとすると、中心線Ｘに接する水平面の範囲４ｍ×４ｍの音圧分布を示している。電磁変換器１０は図１３の下辺中心部に存在し、図の上辺に向かって放射音が放射されている。図中の曲線は同音圧値を結んだものであり、等間隔の相対値である。また、図の下辺の中心と上辺の中心を結んだ線を正面軸Ａとする。図１３（ａ）は電磁変換器の周波数（音圧）が４ｋＨｚ、図１３（ｂ）は電磁変換器の周波数（音圧）が８ｋＨｚのときの音圧分布を示している。図１３（ａ）及び図１３（ｂ）は、下辺の中心に存在する電磁変換器１０の直前の音圧が一番大きく、その外側に音が拡がって音圧が小さくなっている様子を示している。図１３（ａ）では電磁変換器１０を中心に円に近い音圧分布を構成しているが、正面軸Ａ付近の音圧が高い状態となっている。図１３（ｂ）では、正面軸Ａ付近の音圧がより高い状態となり、正面軸Ａから離れるに従って音圧値の低下が早い。さらに、正面軸Ａから±約４５°の方向にそれぞれ音圧の谷が形成されている。
【０００７】
図１４は、従来の電磁変換器の指向性を示す指向性ポーラーパターン図である。指向性ポーラーパターン図は、図１３の音圧分布を示す図に内接する円上の音圧をプロットした半径２ｍの半円の円グラフである。図１４において、同心円状の目盛は音圧値（ｄＢ）を示し、放射状の目盛は指向性を示す角度を示している。図１４（ａ）は電磁変換器の周波数（音圧）が４ｋＨｚ、図１４（ｂ）は電磁変換器の周波数（音圧）が８ｋＨｚのときの指向性ポーラーパターン図である。
【０００８】
図１４（ａ）は、音軸（０°の方向）を基準として−６ｄＢとなる角度を見ると±約６０°であり、半減全角は１２０°である。これに対して図１４（ｂ）は、音軸（０°の方向）を基準として−６ｄＢとなる角度を見ると±約２０°であり半減全角は４０°である。また、音軸（０°の方向）から±約４５°方向に音圧の谷が形成され、その外側にはサイドローブが形成されている。なお、受聴範囲の評価に用いた半減全角とは、音軸の音圧値よりも２０ｌｏｇ０．５ｄＢ（約６ｄＢ）減となる方向間の角度である。
【０００９】
図１３及び図１４に示した音場シミュレーション結果から分かるように、従来の電磁変換器１０の放音孔２０は電流方向及び配列方向にそれぞれ等間隔に穿孔されており、放音孔から放射される放射音の音圧分布も電磁変換器１０の放射面上でほぼ均一となり、電磁変換器の中央を中心とする半径一定の円周上において、電磁変換器の正面軸上に最大音圧レベルが得られ、メインローブは電磁変換器１０の正面方向に存在する。電磁変換器１０の放射面上でほぼ均一な音圧が形成されると、メインローブの指向角は矩形の電磁変換器１０の長手方向または短手方向の放射音が放射される幅寸法に依存して決定される。
【００１０】
このように従来の電磁変換器は、指向角の変更や指向性の制御が必要な場合に、電磁変換器の外側寸法や放音孔が配列されている部材の外周寸法を変化させる必要があるという課題があった。また、電流方向または配列方向に垂直方向の指向性は音軸の両側において対称であるため、音放射方向が正面となり放射音の放射方向または指向角が任意に設定できないという課題があった。
【００１１】
この発明は、上記のような課題を解決するためになされたもので、電磁変換器の外側寸法または放音孔が配列されている部材の外周寸法を変化させることなく、放射音の指向角または指向性を変更することができる電磁変換器を得ることを目的とする。
【課題を解決するための手段】
【００１２】
この発明に係る電磁変換機は、帯状の多極着磁パターンが形成された永久磁石板と、前記永久磁石板における多極着磁パターンの形成面と対向配置されるコイルパターンを設けた振動膜と、前記永久磁石板と前記振動膜の間に配置された緩衝部材と、前記永久磁石板、振動膜及び緩衝部材を覆って支持するフレームと、前記永久磁石板と前記フレームに、前記振動膜が発生させた音を外部空間へ放射する放音孔とを備えた電磁変換器において、前記放音孔は、電磁変換器の行方向及び列方向に複数配列され、前記行方向及び前記列方向のうち少なくとも何れか一方向の音圧が配列毎に異なるものである。
【発明の効果】
【００１３】
この発明によれば、電磁変換器の放音孔から放射される放射音の音圧を放音孔の配列毎に変化させるように構成したので、電磁変換器の外側寸法または放音孔が配列されている部材の外周寸法を変化させることなく指向性を制御することができる電磁変換器を得ることができる。
【発明を実施するための最良の形態】
【００１４】
実施の形態１．
図１は、この発明の実施の形態１に係る電磁変換器の構成を示す分解斜視図である。
図に示した電磁変換器１０の永久磁石板１及び２は、振動膜３との対向面のほぼ前面に焼結フェライト磁石からなる帯状の多極着磁パターン（Ｎ極とＳ極とが交互に現れる平行縞状の多極着磁パターン）が形成され、永久磁石板１の板面には多極着磁パターンの間隙である着磁のニュートラルゾーンに沿って一定のピッチで複数の放音孔１ａが設けられている。振動膜３は、永久磁石板１における多極着磁パターンの形成面と対向配置され、表面に形成されているコイルパターン３ａに電流が流れると、永久磁石板１と電磁的に結合して厚み方向に振動する。なお、振動膜３の表面に形成されているコイルパターン３ａは、電磁変換器１０の長手方向により長い直線部分を有する蛇行形状の導線パターンからなるコイルが、薄く柔軟な樹脂フィルム３ｂ上にプリント配線されている構造であり、その導線パターンの直線部分が永久磁石板１のニュートラルゾーンに対応する位置に設けられている。
【００１５】
緩衝部材４ａ及び４ｂは、永久磁石板１及び２と振動膜３の間に配置され、振動膜３が永久磁石板１及び２とぶつかることによる異音の発生を防止するとともに、サスペンションとしての機能を有する。永久磁石板１及び２、振動膜３、緩衝部材４ａ及び４ｂは積層され、上側フレーム５と下側フレーム６によって覆われている。上側フレーム５の上面には、前述の永久磁石板１の各放音孔１ａと連通するように複数の放音孔５ａが設けられている。
【００１６】
次に、電磁変換器１０の動作について説明する。振動膜３は、永久磁石板１における多極着磁パターンの形成面と対向配置されているので、表面に形成されているコイルパターン３ａにオーディオ信号である電流が流れると、そのコイルパターン３ａと永久磁石板１の多極着磁パターンとが電磁的に結合し、フレミングの法則に従って振動膜３にオーディオ振動が発生する。オーディオ振動によって発生した音波が放音孔１ａ及び５ａを通って外部に放出され、オーディオ再生が行われる。
【００１７】
次に、電磁変換器１０の永久磁石板１及び上側フレーム５に設けられた放音孔の配置について説明する。
図２は、この発明の実施の形態１に係る電磁変換器の正面図である。電磁変換器１０は、長手方向であり電流が流れる方向（以下、電流方向と称する（列方向））の長さが約１２ｃｍ、短手方向であり電流方向と直行する方向（以下、配列方向と称する（行方向））の長さが約６ｃｍの矩形を形成しているものとする（ただし、図２は説明のため電流方向と配列方向の長さが異なっている）。電流方向の中心を中心線Ｘとし、配列方向の中心を中心線Ｙとする。電流方向及び配列方向には等間隔に穿孔された放音孔２０が設けられており、電流方向に１列当たり２０個、配列方向に１列当たり１０個設けられている。放音孔２０は、電流方向と配列方向共に各列を交互にずらし、斜眼の斜線の交点に放音孔２０を配置した配列パターンである斜眼配列パターンを有している。
【００１８】
放音孔２０の孔径は電流方向の列毎に変化させており、電磁変換器１０の左端部で最も小さい孔径となり、右端部に向かうに従い徐々に大きい孔径となるように構成している。
電流方向の列毎の孔径として、図３（ａ）に示すように最小孔径Ｍに対して１．１倍（或いは、１．２倍、１．３倍・・・）ずつ等比に拡げる、図３（ｂ）に示すように、最小孔径Ｍに対して１．１倍、１．２倍、１．３倍・・・と漸増値で拡げる等が考えられる。配列方向の列毎の孔径は変化させずに構成している。
【００１９】
図２の構成を有する電磁変換器１０における音場シミュレーションの結果を説明する。なお、説明では、点音源に近似させるため、各放音孔を平坦なバッフル面に配列したモデルの音場シミュレーション結果を用いて説明する。
図４は、この発明の実施の形態１に係る電磁変換器の音圧分布を示す図であり、電磁変換器１０の中心線Ｘに接する水平面の範囲４ｍ×４ｍの音圧分布を示している。電磁変換器１０は図１１の下辺中心部に存在し、図の上辺に向かって放射音が放射されている。図中の曲線は同音圧値を結んだものであり、等間隔の相対値である。また、図の下辺の中心と上辺の中心を結んだ線を正面軸Ａとする（以下、音圧分布を示す図において同様）。
【００２０】
図４（ａ）は電磁変換器の周波数（音圧）が４ｋＨｚ、図４（ｂ）は電磁変換器の周波数（音圧）が８ｋＨｚのときの音圧分布を示している。図４（ａ）は、下辺の中心部に存在する電磁変換器１０を中心に円に近い同心円状の分布を構成しているが、従来例で示した図１３（ａ）よりも円に近い音圧分布を示しており、放音孔２０の孔径を変化させたことによる音圧分布の変化が分かる。図４（ｂ）は、従来例で示した図１３（ｂ）と比較すると、正面軸Ａから±約４５°の方向に存在した音圧の谷が現れておらず、明確なサイドローブが存在しない。また、音圧分布のパターンも正面軸Ａに関して非対称になっており、放射音の放射方向が変化していることが分かる。
【００２１】
図５は、この発明の実施の形態１に係る電磁変換器の指向性を示す指向性ポーラーパターン図である。指向性ポーラーパターン図は、図４の音圧分布を示す図に内接する円上の音圧をプロットした半径２ｍの半円の円グラフである。図５において、同心円状の目盛は音圧値（ｄＢ）を示し、放射状の目盛は指向性を示す角度を示している（以下、指向性ポーラーパターンを示す図において同様）。図５（ａ）は電磁変換器の周波数（音圧）が４ｋＨｚ、図５（ｂ）は電磁変換器の周波数（音圧）が８ｋＨｚのときの指向性ポーラーパターン図である。
【００２２】
図５（ａ）において、音軸（０°の方向）を基準として−６ｄＢとなる角度を見ると±約９０°であり、半減全角は約１８０°である。従来例で示した図１４（ａ）と比較すると、図５（ａ）の方が音軸（０°の方向）から離れる際の音圧値の低下が遅く、広い指向性を有していることが分かる。図５（ｂ）では、音軸（０°の方向）を基準として−６ｄＢとなる角度を見ると±約２５°であり、半減全角は約５０°である。また、指向性パターンも音軸（０°の方向）に関して非対称になっている。従来例で示した図１４（ｂ）と比較すると、より広い指向性を有しており明確なサイドローブも形成されておらず、指向性パターンが変化していることが分かる。なお、音軸とは電磁変換器１０の中心と音圧が最大となる点を結ぶ軸である。また、受聴範囲の評価に用いた半減全角とは、音軸の音圧値よりも２０ｌｏｇ０．５ｄＢ（約６ｄＢ）減となる方向間の角度である（以下、同様）。
【００２３】
以上のように、実施の形態１によれば、放音孔の孔径を変化させ、電磁変換器の電流方向の列毎に孔径を変化させるように構成したので、電磁変換器の外側寸法を変えることなく指向角及び指向性を制御することが可能となり、所望の音響特性を実現することができる。
【００２４】
なお、上述した実施の形態１では、放音孔の孔径について、電磁変換器の電流方向の列毎に孔径を変化させる例を示したが、配列方向の列毎に孔径を変化させるように構成してもよい。また、電流方向及び配列方向の列毎に孔径を同時に変化させるように構成してもよい。
【００２５】
実施の形態２．
図６（ａ）は、この発明の実施の形態２に係る電磁変換器の断面図であり、図６（ｂ）はその正面図である。図２に示した実施の形態１に係る電磁変換器と異なる点は、放音孔２０の孔径を従来例で示した図１０と同様に、電流方向と配列方向共に均一とし、放音孔２０から放射される放射音の位相を電流方向の配列毎に変化させて構成している点である。以下、実施の形態１に係る電磁変換器の構成要素と同一または相当する部分には、実施の形態１で使用した符号と同一の符号を付して説明を省略または簡略化する。
【００２６】
電磁変換器１０で発生した放射音は音道３０を通って放音孔２０から放射される。放音孔２０は電流方向及び配列方向ともに均一ピッチで配列されており、同じ強さの音が発せられているものとする。音道３０は、電流方向の配列毎に長さを変化させおり、電磁変換器１０の左端部が最も長く、右端部に向かうに従い徐々に短くなるように構成されている。この構成により、放射音の位相は音道３０の長さに応じて徐々に進むこととなり、この実施の形態２では電流方向の最左端列を基準として右端列に向かうに従い列毎に＋５°ずつ進んだ位相差をつけている。位相差は隣の配列に対して＋５°あるいは＋１０°など任意に設定可能である。
【００２７】
次に、図６の構成を有する電磁変換器１０における音場シミュレーションの結果を説明する。
図７は、この発明の実施の形態２に係る電磁変換器の音圧分布を示す図である。図７（ａ）は電磁変換器の周波数（音圧）が４ｋＨｚ、図７（ｂ）は電磁変換器の周波数（音圧）が８ｋＨｚのときの音圧分布を示している。図７（ａ）及び図７（ｂ）共に、放射音の放射方向が正面軸Ａよりも右側に傾いており、音圧分布も正面軸Ａに関して非対称となっている。
【００２８】
図８は、この発明の実施の形態２に係る電磁変換器の指向性を示す指向性ポーラーパターン図である。図８（ａ）は電磁変換器の周波数（音圧）が４ｋＨｚ、図８（ｂ）は電磁変換器の周波数（音圧）が８ｋＨｚのときの指向性ポーラーパターン図である。図８（ａ）において、放射音の音軸が＋約２０°の方向に移動しており、半減全角が存在しない。また、図８（ｂ）において、放射音の音軸が＋約１０°の方向に移動しており、音軸（約１０°の方向）を基準として−６ｄＢとなる角度を見ると＋約４０°及び−約１５°であり、半減全角は約５５°である。これらのことから、図８（ａ）及び図８（ｂ）は、従来例で示した図１４（ａ）及び図１４（ｂ）よりも広い指向性を有し、さらに放射音の放射方向の変化が見られる。
【００２９】
以上のように、実施の形態２によれば、放音孔に接続されている音道の長さを電流方向の配列毎に変化させて位相を進ませるように構成したので、電磁変換器の外側寸法を変えることなく指向角及び指向性を制御することが可能となり、所望の音響特性を実現することができる。
【００３０】
なお、実施の形態２では、音道の長さについて電磁変換器の電流方向の配列毎に変化させる例を示したが、配列方向の配列毎に変化させるように構成してもよい。さらに、位相を進ませる方法として、音道の長さを変化させる例を示したが、音道の長さを変えず、移送回路とパワーアンプを設けて振動膜状の個別パターンを駆動し、電気的に位相を変化させる構成としてもよい。
【００３１】
実施の形態３．
実施の形態１及び２では、放音孔の孔径を配列毎に変化させて放射音の音圧を変化させる、または、音道の長さを配列毎に変化させて放射音の位相を変化させるように構成し、放音孔から放出される放射音の状態を変化させたが、実施の形態３では各放音孔から放射される放射音の状態は同一とし、放音孔の配列間隔を変化させる。以下、実施の形態１に係る電磁変換器の構成要素と同一または相当する部分には、実施の形態１で使用した符号と同一の符号を付して説明を省略または簡略化する。
【００３２】
図９は、この発明の実施の形態３に係る電磁変換器の正面図である。放音孔２０の電流方向の配列間隔は電磁変換器１０の左端部で最も狭いピッチとなり、右端部に向かうに従い徐々に広いピッチとなるように構成している。電流方向の配列間隔として、最小間隔Ｌに対して１．１倍（或いは、１．２倍、１．３倍・・・）ずつ等比に拡げる、最小間隔Ｌに対して１．１倍、１．２倍、１．３倍・・・と漸増値で拡げる等が考えられる。配列方向の配列間隔は全て均一のピッチとなるように構成されている。また、放音孔２０からは同じ強さの音が発せられているものとする。
【００３３】
次に、図９の構成を有する電磁変換器１０における音場シミュレーションの結果を説明する。
図１０は、この発明の実施の形態２に係る電磁変換器の音圧分布を示す図である。図１０（ａ）は電磁変換器の周波数（音圧）が４ｋＨｚ、図１０（ｂ）は電磁変換器の周波数（音圧）が８ｋＨｚのときの音圧分布を示している。図１０（ａ）及び図１０（ｂ）は正面軸Ａ付近に音圧分布が集まっており、従来例で示した図１３（ａ）、図１３（ｂ）よりも狭い音圧分布を有していることが分かる。また、放射音の放射方向が、正面軸Ａに対して僅かに左側に傾いている。
【００３４】
図１１はこの発明の実施の形態４に係る電磁変換器の指向特性を示す指向性ポーラーパターン図である。図１１（ａ）は電磁変換器の周波数（音圧）が４ｋＨｚ、図１１（ｂ）は電磁変換器の周波数（音圧）が８ｋＨｚのときの指向性ポーラーパターン図である。図１１（ａ）において、音軸（約０°の方向）を基準として−６ｄＢとなる角度を見ると±約２０°であり、半減全角は約４０°であり、従来例で示した図１４（ａ）よりも鋭い指向性を有していることが分かる。また、図１１（ｂ）において、音軸（約０°の方向）を基準として−６ｄＢとなる角度を見ると±約７〜８°であり、半減全角は約１５°であり、従来例で示した図１４（ｂ）よりも鋭い指向性を有していることが分かる。図１１（ａ）及び図１１（ｂ）共に、音軸が左側に数度傾いていることが分かる。なお、半減全角の算出では便宜上音軸を約０°の方向とした。
【００３５】
以上のように、実施の形態３によれば、放音孔の配列を変化させ、電磁変換器の電流方向の配列間隔について電磁変換器の左端部で最も狭いピッチとなり、右端部に向かうに従い徐々に広いピッチとなるように構成したので、電磁変換器の外側寸法を変えることなく指向角及び指向性を制御することが可能となり、所望の音響特性を実現することができる。
【００３６】
なお、上述した実施の形態３では、放音孔の配列について、電磁変換器の電流方向の配列間隔を変化させる例を示したが、配列方向の配列間隔を変化させるように構成してもよい。また、電流方向及び配列方向の配列間隔を同時に変化させるように構成してもよい。
【００３７】
さらに、上述した実施の形態１−３では、放音孔を斜眼配列パターンで配置する構成を示したがこれに限定されるものではない。また、上述した実施の形態１−３では、放音孔を振動膜上のコイルパターンまたは永久磁石板の着磁パターンに従って穿孔されている例を示したが、着磁パターンとは独立して穿孔されていても同様の効果が得られる。
【図面の簡単な説明】
【００３８】
【図１】この発明の実施の形態１に係る電磁変換器の構成を示す分解斜視図である。
【図２】この発明の実施の形態１に係る電磁変換器の正面図である。
【図３】この発明の実施の形態１に係る電磁変換器の放音孔の配列間隔例を示す図である。
【図４】この発明の実施の形態１に係る電磁変換器の音圧分布を示す図である。
【図５】この発明の実施の形態１に係る電磁変換器の指向特性を示す指向性ポーラーパターン図である。
【図６】この発明の実施の形態２に係る電磁変換器の正面図である。
【図７】この発明の実施の形態２に係る電磁変換器の音圧分布を示す図である。
【図８】この発明の実施の形態２に係る電磁変換器の指向特性を示す指向性ポーラーパターン図である。
【図９】この発明の実施の形態３に係る電磁変換器の正面図である。
【図１０】この発明の実施の形態３に係る電磁変換器の音圧分布を示す図である。
【図１１】この発明の実施の形態３に係る電磁変換器の指向特性を示す指向性ポーラーパターン図である。
【図１２】従来の電磁変換器の正面図である。
【図１３】従来の電磁変換器の音圧分布を示す図である。
【図１４】従来の電磁変換器の指向特性を示す指向性ポーラーパターン図である。
【符号の説明】
【００３９】
１，２  永久磁石板、１ａ，５ａ，２０  放音孔、３  振動膜、３ａ  コイルパターン、３ｂ  樹脂フィルム、４ａ，４ｂ  緩衝部材、５  上側フレーム、６  下側フレーム  、１０  電磁変換器、３０  音道、Ａ  正面軸、Ｘ，Ｙ  中心線。
【図１】
2008270971.tif 000003
【図２】
2008270971.tif 000004
【図３】
2008270971.tif 000005
【図４】
2008270971.tif 000006
【図５】
2008270971.tif 000007
【図６】
2008270971.tif 000008
【図７】
2008270971.tif 000009
【図８】
2008270971.tif 000010
【図９】
2008270971.tif 000011
【図１０】
2008270971.tif 000012
【図１１】
2008270971.tif 000013
【図１２】
2008270971.tif 000014
【図１３】
2008270971.tif 000015
【図１４】
2008270971.tif 000016